(57)【要約】【課題】１つのマイクを音声認識およびハンズフリー通話の両方で共用する。【解決手段】車載マイク１は、マイク素子１１で感知され、アンプ１２で増幅された音声入力信号をフィルタリングするための複数のフィルタ定数１３１〜１３ｎを備えたフィルタ部１３と、フィルタ定数の指定を受付ける指定入力部１５と、フィルタリングに用いるフィルタ定数として複数のフィルタ定数１３１〜１３ｎの中から指定入力部１５で指定されたフィルタ定数を選択する定数選択部１４と、を有する。【選択図】図２
2005164988.tif 000002
【特許請求の範囲】
【請求項１】
マイクの周波数特性切替装置であって、
マイクの音声入力信号をフィルタリングするための複数のフィルタ定数を備えたフィルタ手段と、
フィルタ定数の指定を受付ける指定受付手段と、
前記フィルタリングに使用するフィルタ定数として前記複数のフィルタ定数の中から前記指定受付手段で指定されたフィルタ定数を選択する定数選択手段と、を有すること
を特徴とする周波数特性切替装置。
【請求項２】
請求項１に記載の周波数特性切替装置を備えたマイク。
【請求項３】
請求項１に記載の周波数特性切替装置を備えた情報処理装置であって、
前記周波数切替装置でフィルタリングされた音声入力信号に対して音声認識処理を行う音声認識手段と、
前記周波数切替装置でフィルタリングされた音声入力信号を移動体電話機へ出力するハンズフリー手段と、
前記音声認識手段および前記ハンズフリー手段のいずれかに対応付けられたフィルタ定数の指定信号を、前記周波数特性切替装置の前記指定受付手段に出力する指定信号出力手段と、を有すること
を特徴とする情報処理装置。
【請求項４】
請求項１に記載の周波数特性切替装置に接続されて用いられる情報処理装置であって、
前記周波数切替装置でフィルタリングされた音声入力信号に対して音声認識処理を行う音声認識手段と、
前記周波数切替装置でフィルタリングされた音声入力信号を移動体電話機へ出力するハンズフリー手段と、
前記音声認識手段および前記ハンズフリー手段のいずれかに対応付けられたフィルタ定数の指定信号を、前記周波数特性切替装置の前記指定受付手段に出力する指定信号出力手段と、を有すること
を特徴とする情報処理装置。
【請求項５】
請求項３または４に記載の情報処理装置であって、
前記移動体電話からオンフック/オフフックの状態情報を取得する状態取得手段をさらに有し、
前記指定信号出力手段は、前記状態取得手段が取得した状態情報がオフフックを示している場合に前記ハンズフリー手段に対応付けられたフィルタ定数の指定信号を出力し、オンフックを示している場合に前記音声認識手段に対応付けられたフィルタ定数の指定信号を出力すること
を特徴とする情報処理装置。
【請求項６】
請求項３または４に記載の情報処理装置であって、
前記指定信号出力手段は、前記音声認識手段が所定の第１の音声を認識した場合に前記音声認識手段に対応付けられたフィルタ定数の指定信号を出力し、所定の第２の音声を認識した場合に前記ハンズフリー手段に対応付けられたフィルタ定数の指定信号を出力すること
を特徴とする情報処理装置。
【請求項７】
請求項３乃至６のいずれか１項に記載の情報処理装置であって、
ユーザの言語、性別および年齢の少なくとも１つを含むユーザ情報が登録されたユーザ情報登録手段をさらに有し、
前記指定信号出力手段は、前記音声認識手段に対応付けられたフィルタ定数の指定信号として、前記ユーザ情報登録手段に登録されているユーザ情報より定まるフィルタ定数の指定信号を出力すること
を特徴とする情報処理装置。
【発明の詳細な説明】
【技術分野】
【０００１】
本発明は、マイクの周波数特性を切替える技術に関する。
【背景技術】
【０００２】
特許文献１には、２つのマイクの一方の音声入力信号を目標信号とし、他方の音声入力信号を参照信号として適応信号処理を行って、音声認識処理に用いる適応フィルタのフィルタ係数を設定し、ノイズリダクション制御を行なうノイズリダクションシステムが開示されいる。このシステムでは、学習時（適応信号処理時）と非学習時（音声認識処理時）とで、各マイクのアンプのゲインを切替えることで、ノイズリダクション制御における演算精度を向上させている。
【０００３】
【特許文献１】特開２００１-１３９８９号公報
【発明の開示】
【発明が解決しようとする課題】
【０００４】
一般に、車載用マイクには、移動体電話機のハンズフリー通話および車載装置（例えばナビゲーション装置）の音声認識（音声指令入力）という２つの用途がある。人の声は２００Ｈｚ〜５ｋＨｚ程度の周波数帯域を持つ。したがって、音声認識処理での誤認識を低減させるためには、２００Ｈｚ〜５ｋＨｚで満遍なく感度を持つ周波数特性を有する車載用マイクが望まれる。一方、移動体電話機は、周波数帯域が３００Ｈｚ〜３ｋＨｚ程度に制限されている。したがって、ハンズフリー通話において不要なノイズが発生するのを防ぐためには、３００Ｈｚ〜３ｋＨｚで満遍なく感度を持ち、この周波数帯域以外で感度を持たない周波数特性を有する車載用マイクが望まれる。このため、１つの車載用マイクを音声認識およびハンズフリー通話の両方で共用する場合、次のような問題が生じる。すなわち、車載用マイクの周波数特性を音声認識用に合わせると、ハンズフリー通話において不要なノイズが発生してしまう。一方、車載用マイクの周波数特性をハンズフリー通話用に合わせると、音声認識処理での誤認識が増加してしまう。
【０００５】
本発明は上記事情に鑑みてなされたものであり、本発明の目的は１つのマイクを音声認識およびハンズフリー通話の両方で共用できるようにすることにある。
【課題を解決するための手段】
【０００６】
上記課題を解決するために、本発明は、用途に応じてマイクの周波数特性を切替える。
【０００７】
例えば、本発明の周波数特性切替装置は、マイクの音声入力信号をフィルタリングするための複数のフィルタ定数を備えたフィルタ手段と、フィルタ定数の指定を受付ける指定受付手段と、前記フィルタリングに用いるフィルタ定数として前記複数のフィルタ定数の中から前記指定受付手段で指定されたフィルタ定数を選択する定数選択手段とを有する。
【０００８】
また、本発明の情報処理装置は前記周波数特性切替装置を備える。あるいは、前記周波数特性切替装置に接続されて用いられる。そして、前記周波数切替装置でフィルタリングされた音声入力信号に対して音声認識処理を行う音声認識手段と、前記周波数切替装置でフィルタリングされた音声入力信号を移動体電話機へ出力するハンズフリー手段と、前記音声認識手段および前記ハンズフリー手段のいずれかに対応付けられたフィルタ定数の指定信号を、前記周波数特性切替装置の前記指定受付手段に出力する指定信号出力手段と、を有する。
【発明の効果】
【０００９】
本発明によれば、前記の構成により、用途が音声認識であるか、それとも、ハンズフリー通話であるかに応じて、マイクの周波数特性を切替えることができる。したがって、１つのマイクを音声認識およびハンズフリー通話の両方で性能を落とすことなく共用することができる。
【発明を実施するための最良の形態】
【００１０】
以下に、本発明の実施の形態を説明する。
【００１１】
図１は、本発明の一実施形態が適用された車載システムの概略図である。図示するように、本実施形態の車載システムは、車載マイク１と、ナビゲーション装置２と、移動体電話機３と、スピーカ４と、ディスプレイ５とを有する。車載マイク１は、音声入力信号をナビゲーション装置２に出力する。ナビゲーション装置２は、地図などをディスプレイ５に表示したり、音声ガイドをスピーカ４から出力したりする。また、車載マイク１から出力された音声入力信号に音声認識処理を施してユーザの指示を音声で受付ける。また、車載マイク１およびスピーカ４を用いてハンズフリー通話を行なえるように移動体電話機３との接続を制御する。
【００１２】
上記の車載システムを構成する車載マイク１およびナビゲーション装置２について説明する。なお、車載マイク１およびナビゲーション装置２以外の車載システムを構成する各装置（移動体電話機３、スピーカ４、ディスプレイ５）は既存の装置を利用できる。そこで、これらの装置の詳細な説明は行なわない。
【００１３】
まず、車載マイク１を説明する。図２は、車載マイク１の概略図である。図示するように、マイク素子１１と、アンプ１２と、フィルタ部１３と、定数選択部１４と、指示入力部１５と、を有する。
【００１４】
マイク素子１１は、音声を感知して音声入力信号を出力する。アンプ１２は、マイク素子１１が出力した音声入力信号を増幅する。フィルタ部１３は、アンプ１２で増幅された音声入力信号に対してフィルタリング処理を行う。フィルタリング処理された音声入力信号は、ナビゲーション装置２へ出力される。
【００１５】
フィルタ部１３は、複数のフィルタ定数１３１〜１３ｎを有する。そのうちの１つのフィルタ定数１３１は、ハンズフリー通話用のフィルタ定数である。上述したように、移動体電話機３は周波数帯域が３００Ｈｚ〜３ｋＨｚ程度に制限されている。したがって、ハンズフリー通話において不要なノイズが発生するのを防ぐためには、３００Ｈｚ〜３ｋＨｚで満遍なく感度を持ち、この周波数帯域以外で感度を持たないようにすることが好ましい。そこで、ハンズフリー通話用のフィルタ定数１３１は３００Ｈｚ〜３ｋＨｚ以外の周波数をカットすることができるように設定されている。また、ハンズフリー通話用のフィルタ定数１３１以外のフィルタ定数１３２〜１３ｎは、音声認識処理用のフィルタ定数である。上述したように、人の声は２００Ｈｚ〜５ｋＨｚ程度の周波数帯域を持つ。したがって、音声認識処理での誤認識を低減させるためには、２００Ｈｚ〜５ｋＨｚで満遍なく感度を持つことが好ましい。そこで、音声認識処理のフィルタ定数１３２〜１３ｎは２００Ｈｚ〜５ｋＨｚ以外の周波数をカットすることができるように設定されている。ただし、人の声の周波数特性は、言語、性別および年齢などの個人情報によって異なる。そこで、本実施形態では、音声認識処理のフィルタ定数１３２〜１３ｎを複数用意し、対応する個人情報を互いに異ならせている。
【００１６】
指示入力部１５は、ナビゲーション装置２よりフィルタ定数の指定信号の入力を受付ける。定数選択部１４は、指示入力部１５に入力された指定信号が指定するフィルタ定数１３１〜１３ｎを選択し、選択したフィルタ定数１３１〜１３ｎを用いてフィルタリングが行なわれるように、フィルタ部１３を設定する。例えば、フィルタ回路のフィルタ定数が選択したフィルタ定数となるように、フィルタ回路を構成するコンデンサ、インダクタおよび/またはレジスタを変更する。
【００１７】
図３は、車載マイク１の動作フロー図である。
【００１８】
車載マイク１の指示入力部１５は、ナビゲーション装置２から指定信号を受信すると（ステップＳ１０１）、これを定数選択部１４に通知する。これを受けて定数選択部１４は、指定信号によって指定されたフィルタ定数１３１〜１３ｎをフィルタ部１３に設定する（ステップＳ１０２）。これにより、マイク素子１１で感知された音声入力信号は、アンプ１２で増幅された後、フィルタ部１３にてナビゲーション装置２によって指定されたフィルタ定数でフィルタリングされ、それから、ナビゲーション装置２へ出力される。
【００１９】
次に、ナビゲーション装置２を説明する。図４は、ナビゲーション装置２の概略図である。図示するように、ハンズフリー通話部２１と、音声認識部２２と、指示受付部２３と、ナビ処理部２４と、状態取得部２５と、指定信号出力部２６と、ユーザ情報記憶部２７と、定数管理ＴＬ（テーブル）記憶部２８と、を有する。
【００２０】
ハンズフリー通話部２１は、指示受付部２３からの指示に従い、移動体電話機３のオンフック/オフフックの制御、および、指定された電話番号への発信指示を行なう。また、移動体電話機３に着信があるとその旨を指示受付部２３に通知する。また、ハンズフリー通話部２１は、車載マイク１およびスピーカ４を、移動体電話機３のハンズフリー通話に利用するか、それとも、ナビゲーション装置２のナビゲーション処理に利用するかの切替えを行なう。具体的には、ハンズフリー通話部２１は、ハンズフリー通話モードに設定されている場合、車載マイク１から受信した音声入力信号を移動体電話機３へ出力すると共に、移動体電話機３から受信した音声（通話）信号をスピーカ４へ出力する。一方、ナビゲーション処理モードに設定されている場合、車載マイク１から受信した音声入力信号を音声認識部２２へ出力すると共に、ナビゲーション処理部２４から受信した音声（音声ガイド）信号をスピーカ４へ出力する。
【００２１】
音声認識部２２は、ハンズフリー通話部２１から受信した音声入力信号に対して音声認識処理を施し、音声認識結果を指示受付部２３に出力する。
【００２２】
指示受付部２３は、音声認識部２２から受信した音声認識結果（音声を表す文字列）が示す指示内容を解析する。そして、解析した指示内容をハンズフリー通話部２１またはナビゲーション処理部２４に出力する。具体的には、ハンズフリー通話部２１がナビゲーション処理モードに設定されているならば、音声認識結果が示す指示内容（ルート探索指示、ルート誘導指示など）をナビ処理部２４に出力する。一方、ハンズフリー通話部２１がハンズフリー通話モードに設定されているならば、音声認識結果が示す指示内容（指定された電話番号への発信指示など）をハンズフリー通話部２１に出力する。また、指示受付部２３は、操作パネル等の図示していない入力装置を介して、ユーザより各種指示を受付ける。そして、受付けた指示をハンズフリー通話部２１またはナビゲーション処理部２４に出力する。例えば、オンフック/オフフックボタンが操作された場合、オンフック/オフフック指示をハンズフリー通話部２１に出力する。
【００２３】
ナビ処理部２４は、ナビゲーション処理を行う。例えば、ＧＰＳ受信機や各種車載センサ（不図示）を用いて検出した車両の現在地と、ユーザによって設定された目的地との間の推奨経路を地図データベース（不図示）から探索する（経路探索機能）。また、推奨経路と車両の現在地とを比較し、交差点等を通過する前に直進すべきか、右左折すべきかをスピーカ４を用いて音声でユーザに知らせたり、ディスプレイ５に表示された地図上に進行すべき方向を表示して、ユーザに推奨経路を通知する（経路誘導機能）。これらのナビゲーション処理の内容は、既存のナビゲーション装置と同様でる。
【００２４】
ユーザ情報記憶部２７には、ユーザの話す言語、性別、年齢などの、ユーザ音声の周波数特性の影響因子となるユーザの個人情報が記憶されている。
【００２５】
定数管理ＴＬ記憶部２８には、図５に示すように、車載マイク１のフィルタ部１３が有する音声認識用フィルタ定数１３２〜１３３毎に、フィルタ定数の識別情報２８１およびフィルタ定数に適する個人情報（言語、性別、年齢など）２８２が記憶されている。
【００２６】
状態取得部２５は、ハンズフリー通話部２１を介して移動体電話機３のオンフック/オフフック状態の変化を取得する。指定信号出力部２６は、状態取得部２５が取得した現在のオンフック/オフフック状態の変化に従いフィルタ定数の指定信号を車載マイク１に出力する。具体的には、状態取得部２５がオフフック状態への変化を取得した場合は、ハンズフリー用フィルタ定数１３１を指定する指定信号を車載マイク１に出力する。また、状態取得部２５がオンフック状態への変化を取得した場合は、ユーザ情報記憶部２７および定数管理ＴＬ（テーブル）記憶部２８を用いて、ユーザの言語、性別および年齢などに適したフィルタ定数を音声認識用フィルタ定数１３２〜１３ｎの中から選択し、選択したフィルタ定数を指定する指定信号を車載マイク１に出力する。
【００２７】
図６は、ナビゲーション装置２の指定信号出力部２６の動作フロー図である。このフローは、ナビゲーション装置２に電源が投入されると開始される。
【００２８】
まず、指定信号出力部２６は、ユーザ情報記憶部２７に記憶されているユーザの個人情報とのマッチング度合いの高い個人情報２８２を持つレコードを定数管理ＴＬ記憶部２８から検索する。例えば、最も多くの項目（言語、性別、年齢など）でユーザの個人情報と一致する個人情報２８２を持つレコードを定数管理ＴＬ記憶部２８から検索する。あるいは、個人情報の各項目に予め点数を付けておく。そして、定数管理ＴＬ記憶部２８に登録されている各レコードについて、個人情報２８２とユーザの個人情報とを比較し、一致する項目がある場合にはその項目に付与された点数を当該レコードのマッチング度合いを表す評価値に加算する。そして、最も評価値の高いのレコードを定数管理ＴＬ記憶部２８から検索する。それから、検索したレコードの識別情報２８１により特定される音声認識用フィルタ定数を選択する（ステップＳ３０１）。
【００２９】
次に、指定信号出力部２６は、選択した音声認識用フィルタ定数の指定信号を生成し、車載マイク１へ出力する（ステップＳ３０２）。これにより、車載マイク１は、指定された音声認識用フィルタ定数を用いて音声入力信号のフィルタリングを開始する。
【００３０】
さて、状態取得部２５は、ハンズフリー通話部２１を介して移動体電話機３がオンフック状態からオフフック状態に変化したことを検知すると、その旨を指定信号出力部２６へ通知する。指定信号出力部２６は、状態取得部２５から移動体電話機３がオンフック状態からオフフック状態に変化した旨の通知を受け取ると（ステップＳ３０３でＹＥＳ）、ハンズフリー通話用フィルタ定数の指定信号を生成し、車載マイク１へ出力する（ステップＳ３０４）。これにより、車載マイク１は、ハンズフリー通話用フィルタ定数を用いて音声入力信号のフィルタリングを開始する。
【００３１】
また、状態取得部２５は、ハンズフリー通話部２１を介して移動体電話機３がオフフック状態からオンフック状態に変化したことを検知すると、その旨を指定信号出力部２６へ通知する。指定信号出力部２６は、状態取得部２５から移動体電話機３がオフフック状態からオンフック状態に変化した旨の通知を受け取ると（ステップＳ３０５でＹＥＳ）、ステップＳ３０１に戻って処理を続ける。
【００３２】
図７は、ナビゲーション装置２の指示受付部２３の動作フロー図である。このフローは、ナビゲーション装置２に電源が投入されると開始される。
【００３３】
まず、指示受付部２３は、ハンズフリー通話部２１をナビゲーション処理モードに設定する（ステップＳ２０１）。これにより、ハンズフリー通話部２１は、車載マイク１より受信したルート探索指示やルート誘導指示などのナビ関連指示を表す音声入力信号を音声認識部２２へ出力し、ナビゲーション処理部２４より受信した音声ガイドなどを表す音声信号をスピーカ４へ出力する。
【００３４】
次に、指示受付部２３は、ハンズフリー通話部２１がナビゲーション処理モードに設定されている状態で、音声認識部２２から音声認識結果を受信すると（ステップＳ２０２でＹＥＳ）、これを解析する。そして、その解析結果であるルート探索やルート誘導開始などのナビ関連指示をナビ処理部２４に通知する（ステップＳ２０３）。
【００３５】
また、指示受付部２３は、ハンズフリー通話部２１より移動体電話機３に着信があることを通知されている状態、つまり、移動体電話機３が呼出し状態で（ステップＳ２０４でＹＥＳ）、ユーザよりオフフック指示を受付けると（ステップＳ２０５でＹＥＳ）、ハンズフリー通話部２１をハンズフリー通話モードに設定する（ステップＳ２０６）。これにより、ハンズフリー通話部２１は、車載マイク１より受信したユーザの通話内容を表す音声入力信号を移動体電話機３へ出力し、移動体電話機３より受信した通話相手の音声通話を表す音声信号をスピーカ４へ出力する。それから、指示受付部２３は、ハンズフリー通話部２１を介して移動体電話機３に着信応答指示を出力する（ステップＳ２０７）。これにより、移動体電話機３が着信に応答する。ユーザは、発信元の通話相手とハンズフリーで通話することができる。
【００３６】
また、指示受付部２３は、ハンズフリー通話部２１より移動体電話機３に着信があることを通知されていない状態、つまり、移動体電話機３が呼出しされていない状態で（ステップＳ２０４でＮＯ）、ユーザよりオフフック指示を受付けると（ステップＳ２０８でＹＥＳ）、ディスプレイ５および/またはスピーカ４を用いてユーザに電話番号の入力を要求し、車載マイク１、ハンズフリー通話部２１および音声認識部２２を介してユーザより電話番号を音声で受付ける（ステップＳ２０９）。それから、ハンズフリー通話部２１をハンズフリー通話モードに設定する（ステップＳ２１０）。その後、指示受付部２３は、ハンズフリー通話部２１を介して移動体電話機３に、受付けた電話番号への発信指示を出力する（ステップＳ２１１）。これにより、移動体電話機３が受付けた電話番号へ発信する。ユーザは、発信先の通話相手とハンズフリーで通話することができる。
【００３７】
さて、指示受付部２３は、ユーザよりオンフック指示を受付けると（ステップＳ２１２でＹＥＳ）、ハンズフリー通話部２１を介して移動体電話機３にオンフック指示を出力する（ステップＳ２１３）。これにより、移動体電話機３がオンフックし、ハンズフリー通話が終了する。その後、ステップＳ２０１に戻る。
【００３８】
以上、本発明の一実施形態を説明した。
【００３９】
本実施形態によれば、用途が音声認識であるか、それとも、ハンズフリー通話であるかに応じて、車載マイク１の周波数特性を切替える。したがって、１つの車載マイク１を音声認識およびハンズフリー通話の両方で性能を落とすことなく共用できる。
【００４０】
なお、本発明は上記の実施形態に限定されるものではなく、その要旨の範囲内で数々の変形が可能である。
【００４１】
例えば、上記の実施形態では、移動体電話機３のオンフック/オフフック状態の変化に連動して、音声認識用フィルタ定数およびハンズフリー通話用フィルタ定数の切替えを行なっている（図６参照）。しかし、ユーザのオンフック指示およびオフフック指示に連動させるようにしてもよい。例えば、図６のステップＳ３０３において、移動体電話機３がオンフック状態からオフフック状態に変化したか否かを監視する代わりに、指示受付部２３がハンズフリー通話部２１をハンズフリー通話モード（ユーザのオフフック指示に連動）に変更したか否かを監視するようにしてもよい。同様に、図６のステップＳ３０５において、移動体電話機３がオフフック状態からオンフック状態に変化したか否かを監視する代わりに、指示受付部２３がハンズフリー通話部２１をナビゲーション処理モード（ユーザのオンフック指示に連動）に変更したか否かを監視するようにしてもよい。
【００４２】
なお、本実施形態では、移動体電話機３のオンフック指示およびオフフック指示を、指示受付部２３が操作パネル等の入力装置を介して受付けるようにしている。しかし、指示受付部２３が、車載マイク１、ハンズフリー通話部２１および音声認識部２３を介して受付けるようにしてもよい。この場合、車載マイク１から受け取った音声入力信号を、ハンズフリー通話部２１の動作モードに関わらず音声認識部２３へ出力する。また、オンフック指示およびオフフック指示を表す音声は、音声入力信号がハンズフリー通話用フィルタ定数でフィルタリングされた場合でも、音声認識部２２で音声認識できるような周波数特性（移動体電話機３の通話帯域内の帯域）を持つ音声とする。
【００４３】
また、図７のフローにおいて、ハンズフリー通話部２１をナビゲーション処理モードに切替える場合（ステップＳ２０１）、および、ハンズフリー動作モードに切替える場合（ステップＳ２０６、Ｓ２１０）に、ディスプレイ５および/またはスピーカ４を用いてユーザに該切替えの確認を要求し、車載マイク１、ハンズフリー通話部２１および音声認識部２２を介してユーザより確認を受付けた場合にのみ、該切替えを行なうようにしてもよい。この場合も、車載マイク１から受け取った音声入力信号を、ハンズフリー通話部２１の動作モードに関わらず音声認識部２３へ出力する。また、切替えの確認を表す音声は、音声入力信号がハンズフリー通話用フィルタ定数でフィルタリングされた場合でも、音声認識部２２で音声認識できるような周波数特性（移動体電話機３の通話帯域内の帯域）を持つ音声とする。
【００４４】
また、上記の実施形態では、デフォルト状態で音声認識用フィルタ定数がフィルタ部１３に設定されるようにしているが、デフォルト状態でハンズフリー通話用フィルタ定数がフィルタ部１３に設定されるようにしてもよい。
【００４５】
また、上記の実施形態では、フィルタ部１３、定数選択部１４および指示入力部１５を車載マイク１に組み込んでいるが、本発明はこれに限定されない。これらをナビゲーション装置２に持たせてもよいし、あるいは、これらを有する独立の装置を、車載マイク１およびナビゲーション装置２間に配置してもよい。
【００４６】
また、本実施形態ではハンズフリー通話機能および音声認識機能を有する装置としてナビゲーション装置２を例にとり説明したが、本発明は、ナビゲーション装置２以外の様々な情報処理装置（車載装置に限らない）に広く適用できる。
【図面の簡単な説明】
【００４７】
【図１】図１は、本発明の一実施形態が適用された車載システムの概略図である。
【図２】図２は、車載マイク１の概略図である。
【図３】図３は、車載マイク１の動作フロー図である。
【図４】図４は、ナビゲーション装置２の概略図である。
【図５】図５は、定数管理ＴＬ記憶部２８の登録内容例を示す図である。
【図６】図６は、ナビゲーション装置２の指定信号出力部２６の動作フロー図である。
【図７】図７は、ナビゲーション装置２の指示受付部２３の動作フロー図である。
【符号の説明】
【００４８】
１：車載マイク、２：ナビゲーション装置、３：移動体電話機、４：スピーカ、５：ディスプレイ、１１：マイク素子、１２：アンプ、１３：フィルタ部、１４：定数選択部、１５：指示入力部、２１：ハンズフリー通話部、２２：音声認識部、２３：指示受付部、２４：ナビ処理部、２５：状態取得部、２６：指定信号出力部、２７：ユーザ情報記憶部、２８：定数管理ＴＬ記憶部
【図１】
2005164988.tif 000003
【図２】
2005164988.tif 000004
【図３】
2005164988.tif 000005
【図４】
2005164988.tif 000006
【図５】
2005164988.tif 000007
【図６】
2005164988.tif 000008
【図７】
2005164988.tif 000009